(57)【要約】【課題】低コストで物品が配置された正確な位置を知らせる情報出力システムを提供する。【解決手段】アンテナ３１０は、物品５１０，５２０，５３０に固定された複数の無線タグ５１１−５１３，５２１−５２３，５３１−５３３から、タグ情報を含む電波を受信する。遮蔽板６００は、導体を含み、少なくとも１つの開孔により構成される開孔パターンを含む複数の配置領域６１０，６２０，６３０を有し、物品５１０，５２０，５３０とアンテナ３１０との間に敷設される。処理装置１００は、複数の配置領域６１０，６２０，６３０のうち、読み取られた少なくとも１つのタグ情報に含まれる位置識別情報により識別される固定位置の組み合わせに対応する開孔パターンを含む配置領域を示す情報である領域情報を出力する。【選択図】図１
2019003564.tif 000002
【特許請求の範囲】
【請求項１】
物品に固定されて前記物品への固定位置を識別するための情報である位置識別情報を含むタグ情報を記憶する複数の無線タグから、前記タグ情報を含む電波を受信するアンテナと、
前記アンテナを介して、前記複数の無線タグから前記タグ情報を読み取るリーダと、
導体を含み、少なくとも１つの開孔により構成される開孔パターンを含む複数の配置領域を有し、前記物品と前記アンテナとの間に敷設される遮蔽板と、
前記リーダにより少なくとも１つのタグ情報が読み取られた場合、前記複数の配置領域のうち、前記少なくとも１つのタグ情報に含まれる前記位置識別情報により識別される固定位置の組み合わせに対応する開孔パターンを含む配置領域を示す情報である領域情報を出力する情報出力手段と、を備える、
情報出力システム。
【請求項２】
前記複数の無線タグには、前記複数の配置領域のうち何れかの配置領域に前記物品が誤った向きで配置されたことを検知するための無線タグである誤配置検知用タグが含まれ、
前記開孔パターンは、前記物品が正しい向きで配置された場合に前記誤配置検知用タグが配置される位置に開孔を有さず、前記物品が誤った向きで配置された場合に前記誤配置検知用タグが配置される位置に開孔を有する開孔パターンであり、
前記情報出力手段は、前記リーダにより前記少なくとも１つのタグ情報が読み取られた場合において、前記少なくとも１つのタグ情報に含まれる前記位置識別情報により識別される固定位置のいずれかが前記誤配置検知用タグの固定位置である場合、前記物品が誤った向きで配置されたことを報知する報知情報を出力する、
請求項１に記載の情報出力システム。
【請求項３】
前記複数の無線タグには、前記複数の配置領域のうち何れかの配置領域に前記物品が誤った向きで配置されたことを検知するための無線タグである誤配置検知用タグが含まれ、
前記開孔パターンは、前記物品が正しい向きで配置された場合に前記誤配置検知用タグが配置される位置に開孔を有し、前記物品が誤った向きで配置された場合に前記誤配置検知用タグが配置される位置に開孔を有さない開孔パターンであり、
前記情報出力手段は、前記リーダにより前記少なくとも１つのタグ情報が読み取られた場合において、前記少なくとも１つのタグ情報に含まれる前記位置識別情報により識別される固定位置のいずれもが前記誤配置検知用タグの固定位置でない場合、前記物品が誤った向きで配置されたことを報知する報知情報を出力する、
請求項１に記載の情報出力システム。
【請求項４】
前記複数の配置領域は、前記遮蔽板の長手方向に一列に並び、
前記少なくとも１つの開孔は、前記遮蔽板の長手方向と直交する方向に一列に並び、
前記複数の無線タグは、前記物品が正しく配置された場合に前記遮蔽板の長手方向と直交する方向に一列に並ぶ、
請求項１から３の何れか１項に記載の情報出力システム。
【請求項５】
前記アンテナは、平面状のアンテナであり、前記遮蔽板と重ねられる、
請求項１から４の何れか１項に記載の情報出力システム。
【請求項６】
前記タグ情報は、前記物品を識別するための情報である物品識別情報を更に含み、
前記複数の無線タグは、複数の物品のそれぞれに固定され、
前記情報出力手段は、前記リーダにより前記少なくとも１つのタグ情報が読み取られた場合、前記複数の物品のうち、前記少なくとも１つのタグ情報に含まれる前記物品識別情報により識別される物品と、前記複数の配置領域のうち、前記少なくとも１つのタグ情報に含まれる前記位置識別情報により識別される固定位置の組み合わせに対応する開孔パターンを含む配置領域と、の対応関係を示す情報である対応関係情報を出力する、
請求項１から５の何れか１項に記載の情報出力システム。
【発明の詳細な説明】
【技術分野】
【０００１】
本発明は、情報出力システムに関する。
【背景技術】
【０００２】
現在、無線タグを用いて、物品を管理する技術が知られている。無線タグは、物品に付され、物品のＩＤ（Identifier）を示すタグ情報を記憶する。そして、無線タグに記憶されたタグ情報は、アンテナを介してリーダにより非接触で読み取られる。特許文献１には、平面状のアンテナである通信シートを用いて、医療現場において医療品を管理する医療品管理システムが開示されている。
【０００３】
この医療品管理システムは、リーダライタが、医療品が置かれる場所に設置された通信シートを介して、医療品に付された無線タグから医療品の管理情報を読み取る。この医療品管理システムでは、通信シートを介して医療品の管理情報が読み取られた場合、この通信シートが設置された場所の管理情報に基づき、この医療品が置かれた場所を特定することができる。
【先行技術文献】
【特許文献】
【０００４】
【特許文献１】特開２０１７−０２１８０６号公報
【発明の概要】
【発明が解決しようとする課題】
【０００５】
しかしながら、この医療品管理システムでは、この通信シート上に置かれた医療品が、通信シート上のどの領域に配置されたのかを特定することはできない。従って、この医療品管理システムでは、医療品が配置された位置を精度良く特定することができない。ここで、例えば、１つの医療品に対して、１つの通信シートを設けることにより、この医療品が置かれた場所を精度良く特定する手法が考えられる。しかしながら、この手法では、多くの通信シートを要し、コストが高くなる。このため、低コストで、物品が配置された位置を精度良く特定し、特定した位置をユーザに知らせる技術が望まれている。
【０００６】
本発明は、上記問題に鑑みてなされたものであり、低コストで物品が配置された正確な位置を知らせる情報出力システムを提供することを目的とする。
【課題を解決するための手段】
【０００７】
上記目的を達成するために、本発明に係る情報出力システムは、
物品に固定されて前記物品への固定位置を識別するための情報である位置識別情報を含むタグ情報を記憶する複数の無線タグから、前記タグ情報を含む電波を受信するアンテナと、
前記アンテナを介して、前記複数の無線タグから前記タグ情報を読み取るリーダと、
導体を含み、少なくとも１つの開孔により構成される開孔パターンを含む複数の配置領域を有し、前記物品と前記アンテナとの間に敷設される遮蔽板と、
前記リーダにより少なくとも１つのタグ情報が読み取られた場合、前記複数の配置領域のうち、前記少なくとも１つのタグ情報に含まれる前記位置識別情報により識別される固定位置の組み合わせに対応する開孔パターンを含む配置領域を示す情報である領域情報を出力する情報出力手段と、を備える。
【０００８】
前記複数の無線タグには、前記複数の配置領域のうち何れかの配置領域に前記物品が誤った向きで配置されたことを検知するための無線タグである誤配置検知用タグが含まれ、
前記開孔パターンは、前記物品が正しい向きで配置された場合に前記誤配置検知用タグが配置される位置に開孔を有さず、前記物品が誤った向きで配置された場合に前記誤配置検知用タグが配置される位置に開孔を有する開孔パターンであり、
前記情報出力手段は、前記リーダにより前記少なくとも１つのタグ情報が読み取られた場合において、前記少なくとも１つのタグ情報に含まれる前記位置識別情報により識別される固定位置のいずれかが前記誤配置検知用タグの固定位置である場合、前記物品が誤った向きで配置されたことを報知する報知情報を出力してもよい。
【０００９】
前記複数の無線タグには、前記複数の配置領域のうち何れかの配置領域に前記物品が誤った向きで配置されたことを検知するための無線タグである誤配置検知用タグが含まれ、
前記開孔パターンは、前記物品が正しい向きで配置された場合に前記誤配置検知用タグが配置される位置に開孔を有し、前記物品が誤った向きで配置された場合に前記誤配置検知用タグが配置される位置に開孔を有さない開孔パターンであり、
前記情報出力手段は、前記リーダにより前記少なくとも１つのタグ情報が読み取られた場合において、前記少なくとも１つのタグ情報に含まれる前記位置識別情報により識別される固定位置のいずれもが前記誤配置検知用タグの固定位置でない場合、前記物品が誤った向きで配置されたことを報知する報知情報を出力してもよい。
【００１０】
前記複数の配置領域は、前記遮蔽板の長手方向に一列に並び、
前記少なくとも１つの開孔は、前記遮蔽板の長手方向と直交する方向に一列に並び、
前記複数の無線タグは、前記物品が正しく配置された場合に前記遮蔽板の長手方向と直交する方向に一列に並んでいてもよい。
【００１１】
前記アンテナは、平面状のアンテナであり、前記遮蔽板と重ねられてもよい。
【００１２】
前記タグ情報は、前記物品を識別するための情報である物品識別情報を更に含み、
前記複数の無線タグは、複数の物品のそれぞれに固定され、
前記情報出力手段は、前記リーダにより前記少なくとも１つのタグ情報が読み取られた場合、前記複数の物品のうち、前記少なくとも１つのタグ情報に含まれる前記物品識別情報により識別される物品と、前記複数の配置領域のうち、前記少なくとも１つのタグ情報に含まれる前記位置識別情報により識別される固定位置の組み合わせに対応する開孔パターンを含む配置領域と、の対応関係を示す情報である対応関係情報を出力してもよい。
【発明の効果】
【００１３】
本発明によれば、低コストで物品が配置された正確な位置を知らせる情報出力システムを提供することができる。
【図面の簡単な説明】
【００１４】
【図１】本発明の実施形態１に係る情報出力システムの構成図
【図２】本発明の実施形態１に係る処理装置の構成図
【図３】本発明の実施形態１に係るアンテナの平面図
【図４】図３のＡ−Ａ線における断面図
【図５】本発明の実施形態１に係る遮蔽板の平面図
【図６】本発明の実施形態１に係る物品の斜視図
【図７】アンテナに遮蔽板が重ねられた様子を示す図
【図８】本発明の実施形態１に係る処理装置が実行する情報出力処理を示すフローチャート
【図９】物品と配置領域との対応関係を示す画像を示す図
【図１０】本発明の実施形態２に係る遮蔽板の平面図
【図１１】本発明の実施形態２に係る物品の斜視図
【図１２】物品が誤った向きで配置された様子を示す図
【図１３】本発明の実施形態２に係る処理装置が実行する情報出力処理を示すフローチャート
【図１４】物品が誤った向きで配置されたことを報知する画像を示す図
【図１５】本発明の実施形態３に係る物品の斜視図
【図１６】本発明の実施形態４に係るアンテナを介してタグ情報を読み取る様子を示す図
【図１７】本発明の実施形態４に係るアンテナの構成図であり、（Ａ）は平面図、（Ｂ）は正面図
【図１８】本発明の実施形態４に係るアンテナの断面図であり、（Ａ）は図１７（Ａ）におけるＡ−Ａ線の断面図、（Ｂ）は図１７（Ａ）におけるＢ−Ｂ線の断面図
【発明を実施するための形態】
【００１５】
以下、本発明の実施形態について、図面を参照して説明する。なお、図中において、同一又は対応する部分には、同一の符号を付す。
【００１６】
（実施形態１）
図１は、本発明の実施形態１に係る情報出力システム１０００の構成図である。図１に示すように、情報出力システム１０００は、処理装置１００と、サーバ２００と、リーダライタ３００と、アンテナ３１０と、遮蔽板６００と、を備える。処理装置１００とサーバ２００とは、通信ネットワーク７００を介して相互に接続される。情報出力システム１０００は、物品５１０に固定された無線タグ５１１−５１３、物品５２０に固定された無線タグ５２１−５２３、物品５３０に固定された無線タグ５３１−５３３などを更に含んでいてもよい。
【００１７】
情報出力システム１０００は、例えば、物品５１０がどの配置領域に配置されたのかを特定し、特定した配置領域を示す情報である領域情報を出力するシステムである。領域情報を出力することは、例えば、領域情報を表示装置（例えば、後述するタッチスクリーン１６）により表示すること、領域情報を表示装置（例えば、後述するタッチスクリーン１６）に送信すること、領域情報を記憶装置（例えば、後述するフラッシュメモリ１４）に記憶させること、領域情報を通信装置（例えば、サーバ２００）に送信することを含む概念である。
【００１８】
無線タグ５１１−５１３が固定された物品５１０は、遮蔽板６００が有する、ユニークな開孔パターンを有する複数の配置領域６１０、６２０、６３０などのうち、いずれかの配置領域に配置される。そして、アンテナ３１０は、遮蔽板６００から見て、物品５１０とは反対側に配置される。つまり、物品５１０とアンテナ３１０との間に、遮蔽板６００が配置される。ここで、ユニークな開孔パターンは、無線タグ５１１−５１３のうち、予め定められた１つ以上の無線タグとアンテナ３１０との間の電波の往来を遮断せず、他の無線タグとアンテナ３１０との間の電波の往来を遮断する。このため、情報出力システム１０００は、無線タグ５１１−５１３のうち、リーダライタ３００によりタグ情報が読み込まれた無線タグの組み合わせから、物品５１０が配置された配置領域を特定することができる。
【００１９】
処理装置１００は、リーダライタ３００から受信したタグ情報に基づいて、情報出力処理を実行する。処理装置１００は、例えば、サーバ２００に記憶された各種の情報を参照しながら、情報出力処理を実行する。処理装置１００は、例えば、ノートパソコン、タブレット端末、スマートフォンなどの端末装置である。以下、図２を参照して、処理装置１００の構成について説明する。
【００２０】
図２に示すように、処理装置１００は、ＣＰＵ（Central Processing Unit）１１、ＲＯＭ（Read Only Memory）１２、ＲＡＭ（Random Access Memory）１３、フラッシュメモリ１４、ＲＴＣ（Real Time Clock）１５、タッチスクリーン１６、第１の通信インターフェース１７、第２の通信インターフェース１８を備える。処理装置１００が備える各構成要素は、バスを介して相互に接続される。
【００２１】
ＣＰＵ１１は、処理装置１００の全体の動作を制御する。なお、ＣＰＵ１１は、ＲＯＭ１２に格納されているプログラムに従って動作し、ＲＡＭ１３をワークエリアとして使用する。ＲＯＭ１２には、処理装置１００の全体の動作を制御するためのプログラムやデータが記憶される。ＲＡＭ１３は、ＣＰＵ１１のワークエリアとして機能する。つまり、ＣＰＵ１１は、ＲＡＭ１３にプログラムやデータを一時的に書き込み、これらのプログラムやデータを適宜参照する。
【００２２】
フラッシュメモリ１４は、各種の情報を記憶する不揮発性メモリである。ＲＴＣ１５は、計時用のデバイスである。ＲＴＣ１５は、例えば、電池を内蔵し、処理装置１００の電源がオフの間も計時を継続する。ＲＴＣ１５は、例えば、水晶発振子を備える発振回路を備える。タッチスクリーン１６は、ユーザによりなされたタッチ操作を検知し、検知の結果を示す信号をＣＰＵ１１に供給する。また、タッチスクリーン１６は、ＣＰＵ１１から供給された画像信号に基づく画像を表示する。このように、タッチスクリーン１６は、処理装置１００のユーザインターフェースとして機能する。
【００２３】
第１の通信インターフェース１７は、処理装置１００を、通信ネットワーク７００に接続するためのインターフェースである。処理装置１００は、通信ネットワーク７００を介して通信ネットワーク７００に接続されたサーバ２００と通信する。第１の通信インターフェース１７は、例えば、ＬＡＮ（Local Area Network）インターフェース（例えば、ＮＩＣ（Network Interface Card））を備える。
【００２４】
第２の通信インターフェース１８は、処理装置１００を、リーダライタ３００と接続するためのインターフェースである。第２の通信インターフェース１８は、後述する通信ケーブル３３０を介して、リーダライタ３００に接続される。第２の通信インターフェース１８は、ＬＡＮインターフェースを備えていてもよいし、ＵＳＢ（Universal Serial Bus）やＲＳ−２３２（Recommended Standard 232）に準拠したインターフェースを備えていてもよい。
【００２５】
サーバ２００は、通信ネットワーク７００を介して、処理装置１００に各種の情報やサービスを提供するサーバである。サーバ２００は、例えば、図示しないＣＰＵ、図示しないＲＯＭ、図示しないＲＡＭ、図示しないハードディスク、図示しないＲＴＣ、図示しない通信インターフェースを備える。サーバ２００は、例えば、デスクトップパソコン、ワークステーションである。
【００２６】
リーダライタ３００は、処理装置１００からタグ情報の読み取りを指示する情報を受信した場合、無線タグ５１１−５１３、無線タグ５２１−５２３、無線タグ５３１−５３３など（以下、適宜、「通信対象の無線タグ」という。）に電力を供給するための電波（以下、適宜「電力供給用電波」という。）に応じた電気信号をアンテナ３１０に送信する。リーダライタ３００は、電力供給用電波に応じた電気信号をアンテナ３１０に送信することにより、アンテナ３１０の近傍に近接場を生じさせる。
【００２７】
そして、リーダライタ３００は、アンテナ３１０がタグ情報を含む電波（以下、適宜「タグ情報包含電波」という。）を受信した場合、タグ情報包含電波に応じた電気信号をアンテナ３１０から受信する。リーダライタ３００は、受信した電気信号により示されるタグ情報を処理装置１００に送信する。このように、リーダライタ３００は、アンテナ３１０の近傍に発生させた近接場を介して、タグ情報を読み取る。電力供給用電波及びタグ情報包含電波は、例えば、ＵＨＦ帯域の電波（例えば、周波数が約９２０ＭＨｚ、波長が約３０ｃｍの電波）である。
【００２８】
アンテナ３１０は、リーダライタ３００による制御に従って電力供給用電波を放射し、通信対象の無線タグから受信したタグ情報包含電波に応じた電気信号をリーダライタ３００に供給する。具体的には、アンテナ３１０は、リーダライタ３００から受信した電気信号に応じた電力供給用電波を放射する。また、アンテナ３１０は、通信対象の無線タグが、電力供給用電波を受信したことに応答して放射したタグ情報包含電波を受信する。アンテナ３１０は、タグ情報包含電波に応じた電気信号をリーダライタ３００に送信する。
【００２９】
アンテナ３１０は、通信性能が、通信対象の無線タグとの距離に大きく依存するアンテナであることが好適である。具体的には、アンテナ３１０は、通信対象の無線タグとの距離が相対的に短い場合に通信対象と通信可能であり、通信対象との距離が相対的に長い場合に通信対象と通信不可能であることが好適である。アンテナ３１０は、例えば、放射面がほぼ平面である平面状のアンテナであり、シート状のアンテナ、或いは、通信シートとも呼ばれる。アンテナ３１０は、アンテナ３１０の近傍における電波強度が非常に高く、一方、アンテナ３１０からの距離が離れた場所における電波強度が非常に低くなる。
【００３０】
本実施形態では、アンテナ３１０による受信強度（ＲＳＳＩ：Received Signal Strength Indicator）が閾値以上である場合に「電波を受信した」又は「電波を受信可能である」といい、受信強度が閾値未満である場合に「電波を受信しない」又は「電波を受信可能でない」という。また、通信対象の無線タグが後述する浸出領域３１６内にあり、且つ、遮蔽板６００により電波が遮蔽されていないときに、アンテナ３１０は電波を受信可能であるものとする。また、通信対象の無線タグが後述する浸出領域３１６外にあるとき、又は、遮蔽板６００により電波が遮蔽されているときにアンテナ３１０は電波を受信可能でないものとする。
【００３１】
図３と図４とを参照して、アンテナ３１０の構成について説明する。図３は、アンテナ３１０の平面図である。図４は、図３のＡ−Ａ線における断面図である。図３に示すように、アンテナ３１０は、厚み方向における一方側の表面に、メッシュ状の開孔が形成されたシート状導体３１１を有する。また、アンテナ３１０は、図４に示すように、厚み方向における他方側の表面に、シート状導体３１１に対向して配置されるシート状導体３１２を有し、２層のシート状導体３１１、３１２の間に誘電体３１３を有する。なお、シート状導体３１１の上面には、水をこぼした場合等に備えて塩化ビニル等の保護シート３１４が貼り付けられている。同様に、シート状導体３１２の下面には、塩化ビニル等の保護シート３１５が貼り付けられている。
【００３２】
本実施形態では、シート状導体の開孔の形状は、正三角形である。このようなメッシュパターンを有するアンテナ３１０は、アンテナ３１０の近傍における電波強度が非常に高く、一方、アンテナ３１０からの距離が離れた場所における電波強度が非常に低くなる。このため、アンテナ３１０は、アンテナ感度が比較的低い通信相手と通信するのに好適である。つまり、アンテナ３１０は、ＲＦＩＤタグの読み取りに好適である。
【００３３】
シート状導体３１１は、例えば、複数の第１の線状導体と、複数の第２の線状導体と、複数の第３の線状導体とが、相互に交差することにより、複数の正三角形の開孔が形成された層である。第１の線状導体と第２の線状導体と第３の線状導体とは、同一平面上に配置され、互いに６０度の角度で交差する。本実施形態では、正三角形の一辺の長さは、７ｍｍであるものとする。
【００３４】
シート状導体３１１及びシート状導体３１２は、それぞれ例えば厚さが約３２μｍのアルミのラミネートで構成される。誘電体３１３は、例えば厚さが約２ｍｍの発泡ポリオレフィンで構成される。なお、シート状導体３１１及びシート状導体３１２は、アルミのラミネートに限らず、銅、銀、ニッケル等の金属箔、めっき、蒸着、プリント等で構成されてもよい。また、誘電体３１３は、発泡ポリオレフィンに限らず、ポリエステル、ポリアミド、芳香族ポリアミド等で構成されてもよい。また、誘電体３１３を用いずに、シート状導体３１１、３１２間は空気であってもよい。
【００３５】
保護シート３１４は、絶縁体により構成された層である。保護シート３１４は、シート状導体３１１の表面が傷つけられたり、シート状導体３１１の表面が外部の導体と接触したりすることを抑制する機能を有する。保護シート３１５は、絶縁体により構成された層である。保護シート３１５は、シート状導体３１２の表面が傷つけられたり、シート状導体３１２の表面が外部の導体と接触したりすることを抑制する機能を有する。保護シート３１４や保護シート３１５は、例えば、ＰＥＴ（ポリエチレンテレフタレート）により構成される。
【００３６】
アンテナ３１０は、長手方向における一端にアンテナ３１０に電波（電気信号）を供給するための電波インターフェース３２０を有する。電波インターフェース３２０は、通信ケーブル３３０によりリーダライタ３００と接続される。また、アンテナ３１０は、長手方向における他端に、電波を吸収するための電波吸収部３４０を有する。
【００３７】
電波インターフェース３２０は、導体層３２１と、導体層３２２と、絶縁体層３２３と、電極３２４と、電極３２５と、コネクタ３２６と、を備える。導体層３２１は、絶縁体層３２３の一方の表面に形成された層であり、導体により構成された層である。導体層３２２は、絶縁体層３２３の他方の表面に形成された層であり、導体により構成された層である。絶縁体層３２３は、導体層３２１と導体層３２２とに挟まれた層であり、絶縁体により構成された層である。
【００３８】
電極３２４は、導体層３２１と保護シート３１４とを跨ぐように配置された平板状の電極である。電極３２５は、導体層３２２と保護シート３１５とを跨ぐように配置された平板状の電極である。コネクタ３２６は、導体層３２１の一方の表面上に設けられ、通信ケーブル３３０が差し込まれるコネクタである。コネクタ３２６は、導体により構成される。
【００３９】
通信ケーブル３３０は、内部導体３３１と、絶縁体（図示せず）と、外部導体３３２と、保護皮膜（図示せず）と、を備える同軸ケーブルである。内部導体３３１は、信号電位が印加される導体であり、例えば、銅線により構成される。絶縁体（図示せず）は、内部導体３３１と外部導体３３２とを絶縁するための絶縁体であり、例えば、ポリエチレンにより構成される。外部導体３３２は、接地電位が印加される導体であり、例えば、網組み銅線により構成される。保護被覆（図示せず）は、通信ケーブル３３０の内部を保護するための絶縁体であり、例えば、ビニル樹脂により構成される。
【００４０】
通信ケーブル３３０は、コネクタ３２６に差し込まれる。そして、内部導体３３１は、導体層３２１と導体層３２２と絶縁体層３２３とにより構成される基板に設けられた貫通孔を通り、導体層３２２と接続される。一方、外部導体３３２は、コネクタ３２６と接続される。従って、内部導体３３１と導体層３２２と電極３２５とが電気的に接続され、外部導体３３２とコネクタ３２６と導体層３２１と電極３２４とが電気的に接続される。つまり、電極３２５には、信号電位が印加され、電極３２４には、接地電位が印加される。そして、電極３２５と電極３２４との間に供給された電波（電気信号）が、アンテナ３１０を伝搬する。
【００４１】
電波吸収部３４０は、供給された電波を吸収する。電波吸収部３４０は、アンテナ３１０を伝搬した電波がアンテナ３１０の他端で反射することを抑制する。電波吸収部３４０は、電波吸収体３４１と、導体板３４２と、を備える。電波吸収体３４１は、供給された電波を吸収して、熱エネルギーに変換する。導体板３４２は、断面の形状がコの字型の板状の導体である。
【００４２】
リーダライタ３００からアンテナ３１０に電気信号が供給されると、電気信号に応じた電波がアンテナ３１０の内部を伝達する。そして、アンテナ３１０の内部を伝達する電波がアンテナ３１０の表面から浸出することによって、近接場が生じる。より詳細に説明すると、リーダライタ３００からアンテナ３１０に供給された電気信号に応じた電波は、２層のシート状導体３１１、３１２の間の誘電体３１３内であって、コネクタ３２６から電波吸収部３４０までの間を伝達する。そして、誘電体３１３内を伝達する電波は、シート状導体３１１に形成されたメッシュ状の開孔から浸出することによって、シート状導体３１１のごく近傍の浸出領域３１６（図４において破線で示した領域）に漏れ出す（浸出する）。この浸出した電波（エバネッセント波）は、遠方へは伝搬されず、シート状導体３１１のごく近傍の浸出領域３１６内において近接場を形成する。
【００４３】
シート状導体３１１の表面から浸出する電波の量、すなわち浸出領域３１６の大きさは、主に、シート状導体３１１に形成されたメッシュの間隔と、誘電体３１３の比誘電率と、誘電体３１３の厚みと、によって決まる。なお、誘電体３１３内を伝達する電波は、アンテナ３１０のシート状導体３１２側の表面には開孔が形成されておらずシールドされているため、シート状導体３１２側からは浸出しない。
【００４４】
物品５１０、５２０、５３０などは、配置領域の特定対象の物品である。物品５１０、５２０、５３０は、ほぼ同一の大きさ及び形状であるものとする。物品５１０の予め定められた固定位置には、無線タグ５１１−５１３が固定される。物品５２０の予め定められた固定位置には、無線タグ５２１−５２３が固定される。物品５３０の予め定められた固定位置には、無線タグ５３１−５３３が固定される。なお、物品５１０、５２０、５３０の予め定められた場所に、配置される向きの誤りを減らすために、後述するマーク５１５が記されていてもよい。
【００４５】
無線タグ５１１−５１３、無線タグ５２１−５２３、無線タグ５３１−５３３は、パッシブタグであり、ＲＦＩＤ（Radio Frequency IDentification）タグである。従って、無線タグ５１１−５１３、無線タグ５２１−５２３、無線タグ５３１−５３３は、タグ情報を記憶し、電力供給用電波を受信すると、タグ情報を含むタグ情報包含電波を放射する。
【００４６】
タグ情報には、物品への固定位置を識別するための情報である位置識別情報と、物品を識別するための情報である物品識別情報とが含まれる。本実施形態では、固定位置は３箇所存在するものとする。この場合、位置識別情報は、例えば、１、２、３の３つの数値のいずれかを示す情報である。また、本実施形態では、物品の個数は７個であるものとする。この場合、物品識別情報は、例えば、Ａ、Ｂ、Ｃ、Ｄ、Ｅ、Ｆ、Ｇの７つのアルファベットのいずれかを示す情報である。
【００４７】
例えば、無線タグ５１１は、１を示す位置識別情報とＡを示す位置識別情報とを含むタグ情報を記憶する。また、無線タグ５１２は、２を示す位置識別情報とＡを示す位置識別情報とを含むタグ情報を記憶する。また、無線タグ５１３は、３を示す位置識別情報とＡを示す位置識別情報とを含むタグ情報を記憶する。同様に、無線タグ５２１は、１を示す位置識別情報とＢを示す位置識別情報とを含むタグ情報を記憶する。また、無線タグ５２２は、２を示す位置識別情報とＢを示す位置識別情報とを含むタグ情報を記憶する。また、無線タグ５２３は、３を示す位置識別情報とＢを示す位置識別情報とを含むタグ情報を記憶する。同様に、無線タグ５３１−５３３は、１−３のいずれかを示す位置識別情報とＣを示す位置識別情報とを含むタグ情報を記憶する。
【００４８】
遮蔽板６００は、リーダライタ３００により読み込まれるタグ情報を制限するために、アンテナ３１０を通過する電波を制限する板状の部材である。遮蔽板６００は、例えば、鉄、アルミニウムなどの金属を含む。遮蔽板６００は、電波を遮蔽する機能を有するものであれば、どのようなものであってもよい。例えば、遮蔽板６００は、メッキや蒸着により、絶縁体の板の表面に金属がコーティングされたものであってもよい。また、遮蔽板６００は、絶縁体の板の表面に、金属シールが貼り付けられたものでもよい。
【００４９】
通信ネットワーク７００は、宅外に構築されるネットワークであり、通信ネットワーク７００に接続された機器同士が相互に通信するためのネットワークである。通信ネットワーク７００は、例えば、ＷＡＮ（Wide Area Network）である。通信ネットワーク７００は、例えば、インターネットである。
【００５０】
次に、図５を参照して、遮蔽板６００の構成について説明する。図５において、Ｚ軸は、鉛直方向上向きに延びる軸である。Ｘ軸は、Ｚ軸と直交する軸である。Ｙ軸は、Ｘ軸とＺ軸とに直交する軸である。図５に示すように、遮蔽板６００の表面には、７つの配置領域（配置領域６１０、６２０、６３０、６４０、６５０、６６０、６７０）が設けられる。以下、配置領域６１０、６２０、６３０、６４０、６５０、６６０、６７０を、適宜、領域Ａ、Ｂ、Ｃ、Ｄ、Ｅ、Ｆ、Ｇという。７つの配置領域の形状及び大きさは、ほぼ同じである。また、平面視したときに、７つの配置領域のそれぞれと、物品５１０、５２０、５３０などのそれぞれとは、ほぼ同じ大きさ及び形状である。本実施形態では、Ｘ軸方向に沿って、７つの配置領域が１列に等間隔で並ぶものとする。７つの配置領域には、ユニークな開孔パターンが設けられる。
【００５１】
本実施形態では、開孔パターンは、Ｙ軸方向に並ぶ１列の開孔のパターンにより定義され、３ビットの２進数により定義されるものとする。具体的には、Ｙ軸方向における３つの座標（ｙ１、ｙ２、ｙ３）において、開孔がない場合を０、開孔がある場合を１として、（１、０、０）、（０、１、０）、（１、１、０）、（０、０、１）、（１、０、１）、（０、１、１）、（１、１、１）の７つのパターンにより開孔パターンが定義される。なお、（０、０、０）のパターンは、開孔パターンとはならない。図５に示す例では、領域Ａが（１、０、０）の開孔パターン、領域Ｂが（０、１、０）の開孔パターン、領域Ｃが（１、１、０）の開孔パターン、領域Ｄが（０、０、１）の開孔パターン、領域Ｅが（１、０、１）の開孔パターン、領域Ｆが（０、１、１）の開孔パターン、領域Ｇが（１、１、１）の開孔パターンである。
【００５２】
領域Ａには、開孔６１１が設けられる。領域Ｂには、開孔６２２が設けられる。領域Ｃには、開孔６３１と開孔６３２とが設けられる。領域Ｄには、開孔６４３が設けられる。領域Ｅには、開孔６５１と開孔６５３とが設けられる。領域Ｆには、開孔６６２と開孔６６３とが設けられる。領域Ｇには、開孔６７１と開孔６７２と開孔６７３とが設けられる。
【００５３】
次に、図６を参照して、物品５１０の構成について説明する。図６に示すように、物品５１０は、幅方向の長さが、幅方向と直交する厚さ方向の長さよりも長く、幅方向と厚さ方向とに直交する長手方向の長さよりも短い直方体であるものとする。図６に示す例では、厚さ方向がＺ軸方向と平行であり、幅方向がＸ軸方向と平行であり、長さ方向がＹ軸方向と平行である。物品５１０には、長手方向に沿って１列に等間隔で３つの無線タグ５１１−５１３が付される。
【００５４】
物品５１０が遮蔽板６００上の領域Ａ−Ｇのいずれかに配置されたとき、３つの無線タグ５１１−５１３は、物品５１０の下側の面（Ｚ軸に直交する２つの面のうち、Ｚ軸の座標が小さい方の面）に配置される。物品５１０が遮蔽板６００上の領域Ａ−Ｇのいずれかに配置されたとき、無線タグ５１１のＹ軸方向の座標はｙ１であり、無線タグ５１２のＹ軸方向の座標はｙ２であり、無線タグ５１３のＹ軸方向の座標はｙ３である。
【００５５】
なお、本実施形態では、物品５１０が誤った向きで配置されることはないものとする。物品５１０が誤った向きで配置された状態は、正しく配置された物品５１０を、Ｚ軸と平行であり、物品５１０の中心（重心）を通る軸を中心にして１８０度回転させた状態である。本実施形態では、物品５１０が誤った向きで配置されないように、物品５１０にはマーク５１５が付されているものとする。このマーク５１５は、例えば、物品５１０が正しく配置されたときに、物品５１０の長手方向と直交する面のうち、Ｙ軸方向の座標が大きい方の面に付される。この場合、ユーザは、このマーク５１５が付された面のＹ軸方向の座標が、この面と対向する他の面のＹ軸方向の座標よりも大きくなるように、物品５１０を配置すればよい。なお、マーク５１５が物品５１０に付される位置は、この例に限定されない。また、マーク５１５が物品５１０に付されていなくてもよい。
【００５６】
また、物品５１０の厚さ方向の長さと、物品５１０の幅方向の長さと、物品５１０の長手方向の長さとは異なる。また、物品５１０の厚さ方向と直交する面のうち一方の面のみに、無線タグ５１１−５１３が固定される。このため、物品５１０は、誤った方向で配置されたり、裏返しに配置されたりすることはないものとする。また、物品５１０は、領域Ａ−Ｇの境界線を明示するマーク（図示せず）の存在、開孔箇所の存在などにより、領域Ａ−Ｇ内に収まるように正しく配置されるものとする。少なくとも、物品５１０は、後述するガイド部材８１０によりＹ軸方向の座標が適切に調整される。
【００５７】
次に、図７を参照して、アンテナ３１０と遮蔽板６００との配置について説明する。まず、アンテナ３１０の長手方向の長さと遮蔽板６００の長手方向の長さとは、同程度であることが好適である。また、アンテナ３１０の幅方向の長さと遮蔽板６００の幅方向の長さとは、同程度であることが好適である。
【００５８】
まず、机８００の上面に、アンテナ３１０が敷設される。そして、アンテナ３１０と遮蔽板６００との大部分が重なるように、アンテナ３１０の上に遮蔽板６００が敷設される。なお、遮蔽板６００が有する全ての開孔がアンテナ３１０と重なるように、遮蔽板６００が敷設されることが望まれる。ここで、机８００の上面には、Ｘ軸方向に延びるガイド部材８１０が設けられている。このガイド部材８１０は、物品５１０を配置するときに、物品５１０のＹ軸方向に位置を揃えるための部材である。このガイド部材８１０に合わせて、アンテナ３１０や遮蔽板６００を敷設することが好ましい。
【００５９】
このように、アンテナ３１０と遮蔽板６００とを敷設すると、遮蔽板６００が有する開孔から、アンテナ３１０の表面がむき出しになる。このような配置により、遮蔽板６００が有する開孔と重なるように配置された無線タグからの電波が遮蔽されず、遮蔽板６００が有する開孔と重ならないように配置された無線タグからの電波が遮蔽される。
【００６０】
次に、図８を参照して、本実施形態に係る処理装置１００が実行する情報出力処理について説明する。情報出力処理は、例えば、処理装置１００の電源が投入されたことに応答して実行される。
【００６１】
まず、ＣＰＵ１１は、アンテナ３１０から電波を放射する（ステップＳ１０１）。この電波は、電力供給用電波である。ＣＰＵ１１は、リーダライタ３００を介して、アンテナ３１０から電力供給用電波を放射させる。アンテナ３１０に電波を放射させる期間は、例えば、数十ミリ秒から数百ミリ秒である。
【００６２】
ＣＰＵ１１は、ステップＳ１０１の処理を完了すると、いずれかの無線タグから電波を受信したか否かを判別する（ステップＳ１０２）。この電波は、タグ情報包含電波である。ＣＰＵ１１は、リーダライタ３００から供給された電気信号に基づいて、いずれかの無線タグからタグ情報包含電波を受信したか否かを判別する。ＣＰＵ１１は、いずれの無線タグからも電波を受信していないと判別すると（ステップＳ１０２：ＮＯ）、ステップＳ１０１に処理を戻す。一方、ＣＰＵ１１は、いずれかの無線タグから電波を受信したと判別すると（ステップＳ１０２：ＹＥＳ）、１以上の物品を特定する（ステップＳ１０３）。
【００６３】
ＣＰＵ１１は、受信した１以上のタグ情報に含まれる物品識別情報から、１以上の物品を特定することができる。例えば、タグ情報を、物品識別情報と位置識別情報との組み合わせにより、（Ａ−Ｇのいずれかのアルファベット、１−３のいずれかの数字）で表すものとする。ここで、（Ａ、１）のタグ情報と、（Ｂ、１）のタグ情報と、（Ｂ、２）のタグ情報との３つのタグ情報が受信されたものとする。この場合、（Ａ、１）のタグ情報が無線タグ５１１に記憶されたタグ情報であり、（Ｂ、１）のタグ情報が無線タグ５２１に記憶されたタグ情報であり、（Ｂ、２）のタグ情報が無線タグ５２２に記憶されたタグ情報であると特定される。そして、無線タグ５１１が固定された物品５１０と、無線タグ５２１と無線タグ５２２とが固定された物品５２０との２つの物品が特定される。
【００６４】
ＣＰＵ１１は、ステップＳ１０３の処理を完了すると、物品を選択する（ステップＳ１０４）。例えば、ＣＰＵ１１は、物品５１０と物品５２０とから物品５１０を選択する。ＣＰＵ１１は、ステップＳ１０４を完了すると、開孔パターンを特定する（ステップＳ１０５）。上述の例では、選択された物品５１０に関しては、受信されたタグ情報は、（Ａ、１）のタグ情報のみである。この場合、１ビット目のみが１であり、２ビット目と３ビット目とは０であり、開孔パターンを示す３ビットの数値は１である。
【００６５】
ＣＰＵ１１は、ステップＳ１０５の処理を完了すると、配置領域を特定する（ステップＳ１０６）。例えば、ＣＰＵ１１は、開孔パターンを示す３ビットの数値が１である場合、１に対応する配置領域として領域Ａを特定する。ＣＰＵ１１は、例えば、この時点で、物品５１０と領域Ａ（配置領域６１０）とを対応付ける情報である対応関係情報を生成し、フラッシュメモリ１４に記憶させる。ＣＰＵ１１は、ステップＳ１０６の処理を完了すると、未選択の物品があるか否かを判別する（ステップＳ１０７）。
【００６６】
ＣＰＵ１１は、未選択の物品があると判別すると（ステップＳ１０７：ＹＥＳ）、ステップＳ１０４に処理を戻す。例えば、上述の例において、特定された物品が物品５１０と物品５２０とである場合において、物品５１０のみが選択済みである場合、ＣＰＵ１１は、未選択の物品があると判別し、ステップＳ１０４において、物品５２０を選択する。ここで、上述の例では、物品５２０に関しては、受信されたタグ情報は、（Ｂ、１）のタグ情報と（Ｂ、２）のタグ情報との２つである。
【００６７】
この場合、１ビット目と２ビット目とが１であり、３ビット目が０であり、開孔パターンを示す３ビットの数値は３である。従って、ステップＳ１０５では、開孔パターンとして３が特定される。この場合、３に対応する配置領域として領域Ｃが特定される。ＣＰＵ１１は、例えば、この時点で、物品５２０と領域Ｃ（配置領域６３０）とを対応付ける情報である対応関係情報を生成し、フラッシュメモリ１４に記憶させる。
【００６８】
ＣＰＵ１１は、未選択の物品がないと判別すると（ステップＳ１０７：ＮＯ）、画面表示を更新する（ステップＳ１０８）。例えば、ＣＰＵ１１は、フラッシュメモリ１４に記憶された対応関係情報に基づいて、物品と配置領域との対応関係を示す画像をタッチスクリーン１６に表示させる。図９に、表示される画像の例を示す。
【００６９】
図９に示すように、画像９００は、画像９１１−９１７と、画像９２１と、画像９２２と、を備える。画像９１１−９１７は、配置領域を示す画像である。具体的には、画像９１１は領域Ａを示す画像であり、画像９１２は領域Ｂを示す画像であり、画像９１３は領域Ｃを示す画像であり、画像９１４は領域Ｄを示す画像であり、画像９１５は領域Ｅを示す画像であり、画像９１６は領域Ｆを示す画像であり、画像９１７は領域Ｇを示す画像である。画像９２１は、例えば、物品５１０を示す画像であり、例えば、物品５１０の名称（例えば、物品Ａ）を示す画像である。画像９２２は、例えば、物品５２０を示す画像であり、例えば、物品５２０の名称（例えば、物品Ｂ）を示す画像である。
【００７０】
画像９００は、物品５１０が配置された配置領域が領域Ａであり、物品５２０が配置された配置領域が領域Ｃであることが明示された画像である。つまり、画像９００は、物品５１０を示す画像９２１と領域Ａを示す画像９１１とが対応し、物品５２０を示す画像９２２と領域Ｃを示す画像９１３とが対応していることを明示する画像である。例えば、画像９００は、画像９２１が画像９１１の真上に配置され、画像９２２が画像９１３の真上に配置された画像である。ユーザは、画像９００を参照することにより、物品５１０が配置された配置領域が領域Ａであり、物品５２０が配置された配置領域が領域Ｃであることを知ることができる。
【００７１】
本実施形態では、読み取られたタグ情報に含まれる物品識別情報から、配置された物品が特定され、読み取られたタグ情報に含まれる位置識別情報から、開孔パターンが特定され、この開孔パターンを有する配置領域が特定される。そして、配置された物品と配置領域との対応関係を示す対応関係情報が出力される。このため、本実施形態によれば、低コストで、物品が配置された位置を精度良く特定し、特定した位置をユーザに知らせることができる。なお、対応関係情報は、領域情報の一態様である。
【００７２】
（実施形態２）
実施形態１では、物品が配置領域に正しい向きで配置されることを前提にした例について説明した。しかしながら、物品の形状によっては、物品が配置領域に誤った向きで配置される可能性がある。本実施形態では、物品が配置領域に誤った向きで配置されたことを検知し、ユーザに報知する情報出力システムについて説明する。実施形態１と実施形態２とでは、主に、遮蔽板の構成と、物品に固定される無線タグの個数とが異なる。
【００７３】
まず、図１０を参照して、本実施形態に係る遮蔽板６０１の構成について説明する。図１０に示すように、遮蔽板６０１は、遮蔽板６００に対して、物品が誤った向きで配置されたことを検知するための開孔を更に設けたものである。つまり、遮蔽板６０１が有する配置領域に設けられた開孔のパターンは、物品が配置された配置領域を特定するための開孔（以下、適宜「領域特定用の開孔」という。）と、物品が誤った向きで配置されたことを検知するための開孔（以下、適宜「誤配置検知用の開孔」という。）とにより定義されるパターンである。
【００７４】
領域特定用の開孔は、Ｙ軸の座標がｙ１、ｙ２、ｙ３である開孔である。一方、誤配置検知用の開孔は、Ｙ軸の座標がｙ４である開孔である。ここで、誤配置検知用の開孔は、全ての配置領域内に設けられる。また、ｙ０、ｙ１、ｙ２、ｙ３、ｙ４の間隔は、基本的に、同じである。そして、いずれの配置領域内においても、Ｙ軸の座標がｙ０である開孔は設けられない。
【００７５】
次に、図１１を参照して、本実施形態に係る物品５１０の構成について説明する。図１１に示すように、本実施形態に係る物品５１０は、実施形態１に係る物品５１０に対して、更に、物品が誤った向きで配置されたことを検知するための無線タグを固定したものである。つまり、本実施形態では、物品５１０に対して、物品が配置された配置領域を特定するための無線タグ（以下、適宜「領域特定用の無線タグ」という。）と、物品が誤った向きで配置されたことを検知するための無線タグ（以下、適宜「誤配置検知用の無線タグ」という。）とが固定される。
【００７６】
領域特定用の無線タグは、物品５１０が正しく配置されたときに、Ｙ軸の座標がｙ１、ｙ２、ｙ３となる無線タグ、つまり、無線タグ５１１−５１３である。一方、誤配置検知用の無線タグは、物品５１０が正しく配置されたときに、Ｙ軸の座標がｙ０となり、物品５１０が誤った向きで配置されたときに、Ｙ軸の座標がｙ４となる無線タグ、つまり、無線タグ５１４である。また、物品５１０が正しく配置されたときに、Ｙ軸の座標がｙ４となる位置には無線タグは固定されない。なお、図１１には、物品５１０が正しく配置されたときのＹ軸の座標を、ｙ０−ｙ４として示している。また、本実施形態では、物品５１０には、配置される向きの誤りを減らすためのマーク５１５は記されていないものとする。なお、物品５１０以外の物品（物品５２０、５３０）にも、誤配置検知用の無線タグが固定される。
【００７７】
次に、図１２を参照して、物品が誤った向きで配置されたことを検知する手法について説明する。図１２には、物品５１０が領域Ａに正しい向きで配置され、物品５２０が領域Ｂに誤った向きで配置された様子を示している。図１２においては、理解を容易にするため、アンテナ３１０のパターンは図示していない。
【００７８】
物品５１０は、領域Ａに正しい向きで配置されている。従って、無線タグ５１４のＹ軸方向の座標はｙ０となり、無線タグ５１１のＹ軸方向の座標はｙ１となり、無線タグ５１２のＹ軸方向の座標はｙ２となり、無線タグ５１３のＹ軸方向の座標はｙ３となる。その結果、１ビット目に対応する開孔６１１を介して、無線タグ５１１のタグ情報が読み取られる。
【００７９】
一方、誤配置に対応する開孔６１４と重なる位置には、いずれの無線タグも配置されない。このため、開孔６１４を介して、タグ情報は読み取られない。また、誤配置検知用の無線タグである無線タグ５１４が配置される位置（Ｙ軸方向の座標がｙ０である位置）には、いずれの開孔も設けられていない。このため、無線タグ５１４からは、タグ情報が読み取られない。情報出力システム１０００は、無線タグ５１４からのタグ情報が読み取られないため、正しい向きで配置されたと判別する。なお、無線タグ５１４は、例えば、（Ａ、４）のタグ情報を記憶する。
【００８０】
これに対して、物品５２０は、領域Ｂに誤った向きで配置されている。従って、無線タグ５２４のＹ軸方向の座標はｙ４となり、無線タグ５２１のＹ軸方向の座標はｙ３となり、無線タグ５２２のＹ軸方向の座標はｙ２となり、無線タグ５２３のＹ軸方向の座標はｙ１となる。その結果、２ビット目に対応する開孔６２２を介して、無線タグ５２２のタグ情報が読み取られる。
【００８１】
ここで、誤配置に対応する開孔６２４と重なる位置には、誤配置検知用の無線タグである無線タグ５２４が配置される。このため、開孔６２４を介して、無線タグ５２４のタグ情報が読み取られる。そして、情報出力システム１０００は、誤った向きで配置されたと判別する。なお、情報出力システム１０００は、誤った向きで配置されたと判別した場合においても、物品５２０が配置された配置領域を正しく特定可能である場合には、物品５２０が配置された配置領域を示す情報を出力してもよい。
【００８２】
本実施形態の構成では、物品５２０が、仮に、誤った向きで配置されても、物品５２０が配置された配置領域を正しく特定可能であると考えられる。つまり、本実施形態の構成では、１ビット目と３ビット目とを入れ替えることにより、物品５２０が配置された配置領域を特定可能であると考えられる。なお、無線タグ５２４は、例えば、（Ｂ、４）のタグ情報を記憶する。
【００８３】
次に、図１３を参照して、本実施形態に係る処理装置１００が実行する情報出力処理について説明する。情報出力処理は、例えば、処理装置１００の電源が投入されたことに応答して実行される。
【００８４】
まず、ＣＰＵ１１は、アンテナ３１０から電波を放射する（ステップＳ２０１）。ＣＰＵ１１は、ステップＳ２０１の処理を完了すると、いずれかの無線タグから電波を受信したか否かを判別する（ステップＳ２０２）。ＣＰＵ１１は、いずれの無線タグからも電波を受信していないと判別すると（ステップＳ２０２：ＮＯ）、ステップＳ２０１に処理を戻す。一方、ＣＰＵ１１は、いずれかの無線タグから電波を受信したと判別すると（ステップＳ２０２：ＹＥＳ）、１以上の物品を特定する（ステップＳ２０３）。
【００８５】
ここで、（Ａ、１）のタグ情報と、（Ｂ、２）のタグ情報と、（Ｂ、４）のタグ情報との３つのタグ情報が受信されたものとする。この場合、（Ａ、１）のタグ情報が無線タグ５１１に記憶されたタグ情報であり、（Ｂ、２）のタグ情報が無線タグ５２２に記憶されたタグ情報であり、（Ｂ、４）のタグ情報が無線タグ５２４に記憶されたタグ情報であると特定される。そして、無線タグ５１１が固定された物品５１０と、無線タグ５２２と無線タグ５２４とが固定された物品５２０との２つの物品が特定される。
【００８６】
ＣＰＵ１１は、ステップＳ２０３の処理を完了すると、物品を選択する（ステップＳ２０４）。例えば、ＣＰＵ１１は、物品５１０と物品５２０とから物品５１０を選択する。ＣＰＵ１１は、ステップＳ２０４を完了すると、配置された向きが正しいか否かを判別する（ステップＳ２０５）。上述の例では、選択された物品５１０に関しては、受信されたタグ情報は、（Ａ、１）のタグ情報のみであり、誤配置検知用の無線タグである無線タグ５１４に記憶されている（Ａ、４）のタグ情報は受信されていない。このため、ＣＰＵ１１は、物品５１０に関しては、配置された向きが正しいと判別する。ＣＰＵ１１は、物品５１０の判別結果を示す判別結果情報を、フラッシュメモリ１４に記憶する。
【００８７】
ＣＰＵ１１は、ステップＳ２０５を完了すると、開孔パターンを特定する（ステップＳ２０６）。上述の例では、選択された物品５１０に関しては、受信されたタグ情報は、（Ａ、１）のタグ情報のみであるため、開孔パターンを示す３ビットの数値は１である。
【００８８】
ＣＰＵ１１は、ステップＳ２０６の処理を完了すると、配置領域を特定する（ステップＳ２０７。例えば、ＣＰＵ１１は、開孔パターンを示す３ビットの数値が１である場合、１に対応する配置領域として領域Ａを特定する。ＣＰＵ１１は、例えば、この時点で、物品５１０と領域Ａ（配置領域６１０）とを対応付ける情報である対応関係情報を生成し、フラッシュメモリ１４に記憶させる。ＣＰＵ１１は、ステップＳ２０７の処理を完了すると、未選択の物品があるか否かを判別する（ステップＳ２０８）。
【００８９】
ＣＰＵ１１は、未選択の物品があると判別すると（ステップＳ２０８：ＹＥＳ）、ステップＳ２０４に処理を戻す。例えば、上述の例において、特定された物品が物品５１０と物品５２０とである場合において、物品５１０のみが選択済みである場合、ＣＰＵ１１は、未選択の物品があると判別し、ステップＳ２０４において、物品５２０を選択する。ここで、上述の例では、物品５２０に関しては、受信されたタグ情報は、（Ｂ、２）のタグ情報と（Ｂ、４）のタグ情報との２つである。
【００９０】
この場合、ステップＳ２０５において、４ビット目が１であることが検知され、配置された向きが誤っていると判別される。ＣＰＵ１１は、物品５２０の判別結果を示す判別結果情報を、フラッシュメモリ１４に記憶する。ここで、配置された向きが誤っていると判別された場合、ステップＳ２０６において、１ビット目と３ビット目とは入れ替えて、配置領域が特定される。上述の例では、２ビット目のみが１であり、１ビット目と３ビット目とが０であるため、開孔パターンを示す３ビットの数値は２である。従って、ステップＳ２０６では、開孔パターンとして２が特定される。この場合、２に対応する配置領域として領域Ｂが特定される。ＣＰＵ１１は、例えば、この時点で、物品５２０と領域Ｂ（配置領域６３０）とを対応付ける情報である対応関係情報を生成し、フラッシュメモリ１４に記憶させる。
【００９１】
ＣＰＵ１１は、未選択の物品がないと判別すると（ステップＳ２０８：ＮＯ）、画面表示を更新する（ステップＳ２０９）。例えば、ＣＰＵ１１は、フラッシュメモリ１４に記憶された対応関係情報と判別結果情報とに基づいて、物品と配置領域との対応関係と判別結果とを示す画像をタッチスクリーン１６に表示させる。図１４に、表示される画像の例を示す。
【００９２】
図１４に示すように、画像９０１は、画像９１１−９１７と、画像９２１と、画像９２２と、画像９３０と、を備える。物品５１０を示す画像である画像９２１は、領域Ａを示す画像である画像９１１の真上に配置される。また、物品５２０を示す画像である画像９２２は、領域Ｂを示す画像である画像９１２の真上に配置される。ここで、画像９３０は、物品５２０が誤った向きで配置されたことを報知する画像である。画像９３０は、例えば、物品５２０が誤った向きで配置されたこと報知する文字列を含む画像である。
【００９３】
なお、誤った向きで配置された物品５２０に対応する画像９２２は、強調表示されてもよい。例えば、画像９２２は、画像９２１の色彩とは異なる色彩で表示されてもよいし、画像９２１よりも大きく表示されてもよい。ユーザは、画像９０１を参照することにより、物品５１０が配置された配置領域が領域Ａであり、物品５２０が配置された配置領域が領域Ｂであり、物品５２０が誤った向きで配置されていることを知ることができる。
【００９４】
本実施形態では、誤配置検出用の無線タグが読み取られた場合、物品が誤った向きで配置されたと判別され、誤った向きで配置されたことを報知する報知情報が出力される。従って、本実施形態によれば、物品が誤った向きで配置されていることを、ユーザに知らせることができる。
【００９５】
（実施形態３）
実施形態２では、誤配置検出用の無線タグが読み取られた場合、物品が誤った向きで配置されたと判別した。本発明において、物品が誤った向きで配置されたことを検出する手法は、この例に限定されない。例えば、誤配置検出用の無線タグが読み取られない場合、物品が誤った向きで配置されたと判別してもよい。この場合、遮蔽板としては、実施形態２に係る遮蔽板６０１を採用することができる。一方、物品５１０に関しては、図１５に示すように、無線タグを配置することが好適である。
【００９６】
本実施形態では、物品５１０が正しく配置領域に配置されたときに、誤配置検出用の無線タグである無線タグ５１４が誤配置検出用の開孔（例えば、開孔６１４、６２４、６３４、６４４、６５４、６６４、６７４）と重なるように、無線タグ５１４が物品５１０に固定される。なお、無線タグ５１１と無線タグ５１２と無線タグ５１３と無線タグ５１４との間隔は一定である。
【００９７】
本実施形態では、無線タグ５１４が記憶する（Ａ、４）のタグ情報が、誤配置検出用の開孔を介して読み込まれない場合、物品５１０が誤った向きで配置されたと判別される。その他の構成や動作は、基本的に、実施形態２と同様である。本実施形態によれば、実施形態２と同様に、物品が誤った向きで配置されたことをユーザに知らせることができる。
【００９８】
（実施形態４）
実施形態１では、２次元通信によりタグ情報を読み取るためのアンテナ、つまり、２次元方向に電波を放射する平面上のアンテナを採用する例について説明した。本発明において、タグ情報の読み取りに用いるアンテナとして、種々のアンテナを採用することができる。本実施形態では、３次元通信によりタグ情報を読み取るためのアンテナ、つまり、３次元方向に電波を放射するアンテナ４００を採用する例について説明する。アンテナ４００は、細長く薄い、ブレード状のアンテナである。
【００９９】
図１６は、本実施形態に係るアンテナ４００を介してタグ情報を読み取る様子を示す図である。本実施形態では、机８００と遮蔽板６００との間にアンテナ３１０が設けられず、机８００の上面に、直接、遮蔽版６００が敷設される。そして、机８００の下方（例えば、床）に、アンテナ４００が配置される。アンテナ４００は、遮蔽板６００に設けられた開孔の真上に無線タグが配置された場合、この無線タグからタグ情報が読み取ることができる、位置、角度に調整される。また、処理装置１００は、このようなタグ情報の読み取りを実現するため、適切な電波強度でアンテナ４００から電波が放射されるように、リーダライタ３００を制御する。なお、机８００を構成する板は、アンテナ４００と無線タグとの電波の授受をあまり阻害しない素材や厚さであるものとする。
【０１００】
以下、図１７及び図１８を参照して、アンテナ４００の構成について簡単に説明する。なお、ブレード状のアンテナの詳細な説明は、例えば、特開２０１５−１９８３７２号公報に詳細に開示されている。図１７（Ａ）は、アンテナ４００の平面図である。図１７（Ｂ）は、アンテナ４００の正面図である。図１８（Ａ）は、図１７（Ａ）におけるＡ−Ａ線の断面図である。図１８（Ｂ）は、図１７（Ａ）におけるＢ−Ｂ線の断面図である。図１７（Ａ）及び図１７（Ｂ）において、アンテナ４００の長さ方向はＸ軸方向であり、アンテナ４００の幅方向はＹ軸方向であり、アンテナ４００の厚さ方向はＺ軸方向である。
【０１０１】
アンテナ４００は、基板４０１と、給電部４０２と、終端抵抗部４０３と、ストリップライン部４０４（ストリップライン部４０４Ａ、ストリップライン部４０４Ｂ）と、無給電電極部（無給電電極部４０５Ａ、無給電電極部４０５Ｂ、無給電電極部４０５Ｃ、無給電電極部４０５Ｄ）と、金属板４０６とを備える。また、アンテナ４００は、電波を放射する放射面４０７と、放射面４０７と対向する対向面４０８とを備える。基板４０１は、アンテナ４００の基材であり、例えば、ガラス繊維とエポキシ樹脂とを含むプリント基板である。基板４０１は、例えば、長さ２７５ｍｍ、幅１５ｍｍ、厚さ３ｍｍの幅狭な板状に形成される。
【０１０２】
給電部４０２は、アンテナ４００が備えるストリップライン部４０４に電流を供給し、基板４０１の表面の一端に設けられる。給電部４０２は、図示しない通信ケーブルの他端と、ストリップライン部４０４の一端とに接続される。給電部４０２は、図示しない通信ケーブルを介してリーダライタ３００から電気信号を受信し、ストリップライン部４０４に電流を供給する。終端抵抗部４０３は、ストリップライン部４０４を流れた電流の反射が発生することを抑制し、基板４０１の表面の他端に設けられる。
【０１０３】
ストリップライン部４０４は、給電部４０２から供給された電流が流れる線路であり、基板４０１の長さ方向に伸びる態様に形成される。ストリップライン部４０４の一端は、給電部４０２に接続され、ストリップライン部４０４の他端は、終端抵抗部４０３に接続される。ストリップライン部４０４は、中間部分が、ストリップライン部４０４Ａとストリップライン部４０４Ｂとに分岐している。
【０１０４】
無給電電極部（無給電電極部４０５Ａ、無給電電極部４０５Ｂ、無給電電極部４０５Ｃ、無給電電極部４０５Ｄ）は、基板４０１の長さ方向に伸びる電極であり、基板４０１の表面に配置される。無給電電極部（無給電電極部４０５Ａ、無給電電極部４０５Ｂ、無給電電極部４０５Ｃ、無給電電極部４０５Ｄ）は、ストリップライン部４０４と電磁的に結合し、ストリップライン部４０４に電流が流れると、内部に電流が流れて電波を放射する。無給電電極部（無給電電極部４０５Ａ、無給電電極部４０５Ｂ、無給電電極部４０５Ｃ、無給電電極部４０５Ｄ）は、通信に利用される電波の半波長程度の長さを有する。無給電電極部４０５Ａは、基板４０１の中央よりも給電部４０２に近いエリア内に配置される。無給電電極部４０５Ｂ、無給電電極部４０５Ｃ、無給電電極部４０５Ｄは、基板４０１の中央よりも終端抵抗部４０３に近いエリア内に互いに並列に配置される。
【０１０５】
金属板４０６は、基板４０１の長さ方向に伸びる電極であり、基板４０１の裏面に配置される。金属板４０６は、ストリップライン部４０４とともにストリップラインを構成するためのグランド電極である。金属板４０６は、通信に利用される電波の１波長程度の長さを有する。アンテナ４００には、給電部４０２に近い部分に無給電電極部４０５Ａが設けられ、終端抵抗部４０３に近い部分に無給電電極部４０５Ｂ、無給電電極部４０５Ｃ、無給電電極部４０５Ｄが設けられる。従って、アンテナ４００によれば、電波をバランス良く放射することができる。
【０１０６】
本実施形態では、２次元通信によりタグ情報を読み取るためのアンテナではなく、３次元通信によりタグ情報を読み取るためのアンテナを用いて、情報出力システムを構成することができる。本実施形態によれば、種々の理由により２次元通信用のアンテナを使用することができない場合においても、低コストで物品が配置された正確な位置を知らせる情報出力システムを構成することができる。
【０１０７】
（変形例）
以上、本発明の実施形態を説明したが、本発明を実施するにあたっては、種々の形態による変形及び応用が可能である。
【０１０８】
本発明において、上記実施形態において説明した構成、機能、動作のどの部分を採用するのかは任意である。また、本発明において、上述した構成、機能、動作のほか、更なる構成、機能、動作が採用されてもよい。また、上述した実施形態は、適宜、自由に組み合わせることができる。また、本発明において採用可能な素材、サイズ、電気的特性などが、上記実施形態において示したものに限定されないことは勿論である。
【０１０９】
例えば、実施形態１では、基本的に、処理装置１００が単独で、情報出力処理を実行する例について説明した。本発明において、処理装置１００とサーバ２００とが協働して、情報出力処理を実行してもよい。
【０１１０】
実施形態１では、基本的に、物品が配置された配置領域を示す領域情報、物品が誤った方向で配置されたことを報知する報知情報、物品とこの物品が配置された配置領域との対応関係を示す対応関係情報を、タッチスクリーン１６に出力し、タッチスクリーン１６に表示させる例について説明した。本発明において、これらの情報は、表示されなくてもよい。例えば、ＣＰＵ１１は、これらの情報を、フラッシュメモリ１４に出力し、フラッシュメモリ１４に記憶させるだけでもよい。また、ＣＰＵ１１は、これらの情報を、第１の通信インターフェース１７を介して、サーバ２００に送信するだけでもよい。
【０１１１】
実施形態１、２、３、４では、物品が配置される予定の領域である配置予定領域が未定である場合において、物品が配置された配置領域を検出し、物品と検出された配置領域との対応関係を示す対応関係情報を、タッチスクリーン１６に出力し、タッチスクリーン１６に表示させる例について説明した。本発明において、配置予定領域が予め定められている場合、検出された配置領域と予め定められた配置予定領域とが一致するか否かを判別し、判別の結果を報知してもよい。この場合、例えば、個々の物品の配置予定領域をフラッシュメモリ１４などに記憶しておき、物品毎に、検出された配置領域と記憶されている配置領域とが一致するか否かを判別する。そして、誤配置であることを示す判別結果が得られた場合、判別結果（誤配置であること）を報知し、物品を配置予定領域に正しく配置することを促す報知情報を、タッチスクリーン１６に出力し、表示させてもよい。
【０１１２】
実施形態１では、机８００の上にアンテナ３１０が直接敷設され、アンテナ３１０の上に遮蔽板６００が直接敷設され、遮蔽板６００の上に直接物品５１０が配置される例について説明した。本発明において、机８００とアンテナ３１０と遮蔽板６００と物品５１０との間に、他の部材が設けられていてもよいことは勿論である。
【０１１３】
実施形態１では、物品が直方体であり、物品が有する底面（物品が有する６つの面のうち、物品の厚さ方向と直交する２つの面のうち一方の面）に、無線タグが固定される例について説明した。本発明において、無線タグが設けられる場所は、この例に限定されない。例えば、無線タグは、物品が有する側面（物品が有する６つの面のうち、物品の厚さ方向と直交しない４つの面のうち１つの面）の底面近傍に固定されてもよい。また、物品は、直方体でなくてもよい。物品は、無線タグが固定される底面を有することが望ましい。
【０１１４】
実施形態１では、開孔のパターンが１次元のパターンであり、物品に固定される無線タグが直線上に設けられる例について説明した。本発明において、開孔のパターンは、２次元のパターンであってもよく、物品に固定される無線タグが２つ以上の直線上に設けられてもよい。
【０１１５】
実施形態１では、処理装置１００やサーバ２００が有する機能を多くがソフトウェア（又は、ファームウェア）により実現される例、つまり、処理装置１００やサーバ２００が有する機能を多くがプロセッサによるプログラムの実行により実現されるについて説明した。本発明において、このような機能は、ハードウェアにより実現されてもよい。この場合、例えば、処理装置１００やサーバ２００は、ＣＰＵ１１や図示しないＣＰＵに代えて、処理回路を備える。この処理回路は、例えば、単一回路、複合回路、プログラム化したプロセッサ、並列プログラム化したプロセッサ、ＡＳＩＣ（Application Specific Integrated Circuit）、ＦＰＧＡ（Field Programmable Gate Array）、又はこれらの組合せにより構成される。
【０１１６】
本発明に係る処理装置１００やサーバ２００の動作を規定する動作プログラムを既存のパーソナルコンピュータや情報端末装置に適用することで、当該パーソナルコンピュータを本発明に係る処理装置１００やサーバ２００として機能させることも可能である。また、このようなプログラムの配布方法は任意であり、例えば、ＣＤ−ＲＯＭ（Compact Disk Read-Only Memory）、ＤＶＤ（Digital Versatile Disk）、メモリカードなどのコンピュータ読み取り可能な記録媒体に格納して配布してもよいし、通信ネットワーク（例えば、インターネット）を介して配布してもよい。
【符号の説明】
【０１１７】
１１  ＣＰＵ、１２  ＲＯＭ、１３  ＲＡＭ、１４  フラッシュメモリ、１５  ＲＴＣ、１６  タッチスクリーン、１７  第１の通信インターフェース、１８  第２の通信インターフェース、１００  処理装置、２００  サーバ、３００  リーダライタ、３１０，４００  アンテナ、３１１，３１２  シート状導体、３１３  誘電体、３１４，３１５  保護シート、３１６  浸出領域、３２０  電波インターフェース、３２１，３２２  導体層、３２３  絶縁体層、３２４，３２５  電極、３２６  コネクタ、３３０  通信ケーブル、３３１  内部導体、３３２  外部導体、３４０  電波吸収部、３４１  電波吸収体、３４２  導体板、４０１  基板、４０２  給電部、４０３  終端抵抗部、４０４  ストリップライン部、４０５Ａ，４０５Ｂ，４０５Ｃ，４０５Ｄ  無給電電極部、４０６  金属板、４０７  放射面、４０８  対向面、５１０，５２０，５３０  物品、５１１−５１４，５２１−５２４，５３１−５３３  無線タグ、５１５  マーク、６００，６０１  遮蔽板、６１０，６２０，６３０，６４０，６５０，６６０，６７０  配置領域、６１１，６１４，６２２，６２４，６３１，６３２，６３４，６４３，６４４，６５１，６５３，６５４，６６２−６６４，６７１−６７４  開孔、７００  通信ネットワーク、８００  机、８１０  ガイド部材、９００，９０１，９１１−９１７，９２１，９２２，９３０  画像、１０００  情報出力システム。
【図１】
2019003564.tif 000003
【図２】
2019003564.tif 000004
【図３】
2019003564.tif 000005
【図４】
2019003564.tif 000006
【図５】
2019003564.tif 000007
【図６】
2019003564.tif 000008
【図７】
2019003564.tif 000009
【図８】
2019003564.tif 000010
【図９】
2019003564.tif 000011
【図１０】
2019003564.tif 000012
【図１１】
2019003564.tif 000013
【図１２】
2019003564.tif 000014
【図１３】
2019003564.tif 000015
【図１４】
2019003564.tif 000016
【図１５】
2019003564.tif 000017
【図１６】
2019003564.tif 000018
【図１７】
2019003564.tif 000019
【図１８】
2019003564.tif 000020